(57)【要約】【課題】タバコカートンをタバコパックと同様に効果的に陳列することができる構造のタバコ陳列システムを提供する。【解決手段】トレーユニットの底面に装着したスライダユニット４３０の上面に、複数のタバコカートンを前後方向に配列させて載置すると、板バネ１１１に付勢されているスライダ部材１１０によりタバコカートンが前方に押圧される。このため、最前部のタバコカートンが取り出されると次段のタバコカートンが最前部に自動的に配置されるので、タバコカートンを自動的に常時良好に陳列することができる。それでいてスライダユニット４３０を取り外したトレーユニットには従来と同様にタバコパックを陳列することもできる。【選択図】図１
2008080061.tif 000002
【特許請求の範囲】
【請求項１】
直方体状にパッケージされているタバコパックや複数の前記タバコパックが直方体状にパッケージされたタバコカートンを陳列するためのタバコ陳列システムであって、
上面開口のボックス状に形成されていて左右方向に細長く配置された前記タバコカートンが載置される形状に形成されている複数のトレーユニットと、複数の前記トレーユニットを上下左右に配列するシステム本体と、前記トレーユニットの底面に着脱自在に装着される複数のスライダユニットと、を有し、
前記スライダユニットが、
前後方向に細長いガイドレールと、
前記ガイドレールを前記トレーユニットの底面に着脱自在に装着する着脱機構と、
前記ガイドレールにスライド自在に支持されているスライダ部材と、
前記スライダ部材を弾発的に前方に付勢している付勢機構と、
を有するタバコ陳列システム。
【請求項２】
前記ガイドレールは、上面中央に前後方向に細長い開口孔が形成されており、
前記スライダ部材は、前記マガジン本体の開口孔の左右縁部にスライド自在に係合する凹溝が下部左右に形成されており、
前記開口孔に連続していて後端が閉塞されている開口孔が上面中央に形成されている後部部材が前記ガイドレールの後面に装着されており、
前記後部部材の上面が前記ガイドレールの上面より下方に位置しており、
前記スライダ部材は、前記後部部材の開口孔に位置した状態で前面下端が前記ガイドレールの後面上端に係脱自在に係合する請求項１に記載のタバコ陳列システム。
【請求項３】
前記付勢機構は、弾発的に巻回する前後方向に細長い板バネからなり、
前記板バネは、前端が前記ガイドレールの前端に連結されており、後端を中心に前方に巻回する部分が前記スライダ部材に後方から当接する位置に配置されており、前記スライダ部材の下部から前方に位置する部分が前記ガイドレールの開口孔内に位置している請求項２に記載のタバコ陳列システム。
【請求項４】
前記ガイドレールの前面に前部部材が装着されており、
前記板バネの前端が前記前部部材に固定されている請求項３に記載のタバコ陳列システム。
【請求項５】
前記着脱機構は、前記ガイドレールの下面に装着されている粘着シートからなる請求項１ないし４の何れか一項に記載のタバコ陳列システム。
【請求項６】
前後方向に細長い上面開口のボックス状に形成されていて上下方向に細長く前後方向に扁平な状態で前後方向に配列された複数の前記タバコパックを保持する形状の複数のマガジンユニットを、さらに有し、
前記トレーユニットは、左右方向に細長く配置された前記タバコカートンが載置されるとともに左右方向に配列された複数の前記マガジンユニットを着脱自在に保持する形状に形成されている請求項１ないし５の何れか一項に記載のタバコ陳列システム。
【請求項７】
前記マガジンユニットが、
前後方向に細長い上面開口のボックス状に形成されているマガジン本体と、
前記マガジン本体の底面に前後方向にスライド自在に配置されているスライダ部材と、
前記スライダ部材を弾発的に前方に付勢している付勢機構と、
を有する請求項６に記載のタバコ陳列システム。
【請求項８】
前記システム本体が、
前面開口のボックス状に形成されていて上下方向に離間した配置で複数の前記トレーユニットを着脱自在に保持する形状の複数のフレームユニットと、
複数の前記フレームユニットを上下方向に連結するフレーム連結機構と、
を有する請求項１ないし７の何れか一項に記載のタバコ陳列システム。
【請求項９】
前記システム本体が、
前後方向に扁平な平板状に形成されていて前面に所定形状の凹凸が形成されている複数のウォールユニットと、
複数の前記ウォールユニットを上下方向に連結するウォール連結機構と、
前記ウォールユニットの前記凹凸に着脱自在に係合する係合機構が後部に形成されていて前記トレーユニットを保持する複数のトレーアタッチメントと、
を有する請求項１ないし７の何れか一項に記載のタバコ陳列システム。
【請求項１０】
前面開口のボックス状に形成されていて上下方向に離間した配置で複数の前記トレーユニットを着脱自在に保持する形状の複数のフレームユニットと、
前記ウォールユニットの前記凹凸に着脱自在に係合する係合機構と前記フレームユニットを懸架するフレーム懸架部とを有するフレームアタッチメントとを、
さらに有する請求項９に記載のタバコ陳列システム。
【請求項１１】
複数の前記フレームユニットを上下方向に連結するフレーム連結機構を、さらに有する請求項１０に記載のタバコ陳列システム。
【請求項１２】
請求項１ないし１１の何れか一項に記載のタバコ陳列システムのスライダユニットであって、
前後方向に細長いガイドレールと、
前記ガイドレールを前記トレーユニットの底面に着脱自在に装着する着脱機構と、
前記ガイドレールにスライド自在に支持されているスライダ部材と、
前記スライダ部材を弾発的に前方に付勢している付勢機構と、
を有するスライダユニット。
【発明の詳細な説明】
【技術分野】
【０００１】
本発明は、販売されるタバコパックを陳列するためのタバコ陳列システムに関し、特に、コンビニエンスストアなどで利用されるタバコ陳列システムに関する。
【背景技術】
【０００２】
従来、コンビニエンスストアなどの店舗におけるタバコの販売形態として、レジ裏の棚などにタバコを置き、販売する方式が主流となっていた。ところが、近年では、タバコを展示する什器を利用するケースも増えてきている。
【０００３】
こうした什器においては、最前の位置からタバコが抜き出されても、後方から前面へタバコが押し出され、タバコの配列状態が維持されるようになっている。タバコは、つねにそのラベル面が消費者に見えるように配置され、消費者に対する展示効果が発揮されるように構成されている（例えば、特許文献１参照）。
【特許文献１】特開平１０−１５１０４７号公報
【発明の開示】
【発明が解決しようとする課題】
【０００４】
しかしながら従来の什器は、その設置スペースの制約等から定型のものが多く、展示効果を高めるにも限界があった。
【０００５】
また、タバコの商品形態には、複数の紙巻タバコを収容する箱体（以下、「タバコパック」という）だけでなく、複数のタバコパックがパックされたタバコカートン、タバコパックがオマケとともにパックされたキャンペーンパック等、種々のものがある。こうした多様な商品を陳列できるような什器は、これまで開発されたことがなかった。
【０００６】
さらに、前述の特許文献に示されているように、什器の展示効果を高める工夫がなされた例はあるが、什器自体の取扱性を良好にするという観点から改良が検討された例はほとんどなかった。
【０００７】
什器は消費者へ商品をアピールする道具であるから、消費者への訴求効果の高いものにすることが第一に要求される。しかしながらその一方、什器を取り扱う際の作業性を良好なものとすることも同時に求められる。
【０００８】
すなわち、日常の商品装填作業や棚卸し時の商品補充にあたり、作業者が、円滑に商品を補充できるような構成の什器であることが望まれる。しかしながら、こうした作業性改良の観点から什器の設計がなされることはほとんどなかった。
【０００９】
本発明は、上記事情に鑑みなされたものであって、商品の展示効果に優れ、商品の装填作業等の作業性が良好な什器であって、タバコカートン等の特殊な形態の商品をも陳列可能とするタバコ陳列システムを提供するものである。
【課題を解決するための手段】
【００１０】
本発明のタバコ陳列システムは、直方体状にパッケージされているタバコパックや複数のタバコパックが直方体状にパッケージされたタバコカートンを陳列するためのタバコ陳列システムであって、上面開口のボックス状に形成されていて左右方向に細長く配置されたタバコカートンが載置される形状に形成されている複数のトレーユニットと、複数のトレーユニットを上下左右に配列するシステム本体と、トレーユニットの底面に着脱自在に装着される複数のスライダユニットと、を有し、スライダユニットが、前後方向に細長いガイドレールと、ガイドレールをトレーユニットの底面に着脱自在に装着する着脱機構と、ガイドレールにスライド自在に支持されているスライダ部材と、スライダ部材を弾発的に前方に付勢している付勢機構と、を有する。
【００１１】
従って、本発明のタバコ陳列システムでは、トレーユニットの底面に装着したスライダユニットのガイドレールの上面に、複数のタバコカートンを前後方向に配列させてスライダユニットより前方に載置すると、付勢機構に付勢されているスライダユニットによりタバコカートンが前方に押圧される。
【００１２】
本発明のスライダユニットは、本発明のタバコ陳列システムのスライダユニットであって、前後方向に細長いガイドレールと、ガイドレールをトレーユニットの底面に着脱自在に装着する着脱機構と、ガイドレールにスライド自在に支持されているスライダ部材と、スライダ部材を弾発的に前方に付勢している付勢機構と、を有する。
【００１３】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００１４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１５】
本発明のタバコ陳列システムでは、トレーユニットの底面に装着したスライダユニットのガイドレールの上面に、複数のタバコカートンを前後方向に配列させてスライダユニットより前方に載置すると、付勢機構に付勢されているスライダユニットによりタバコカートンが前方に押圧される。このため、代表面を前面とした状態で複数のタバコカートンを前後方向に配列させて収容することができ、その最前部のタバコカートンが取り出されると次段のタバコカートンが最前部に自動的に配置されるので、タバコカートンを自動的に常時良好に陳列することができる。従って、顧客にタバコカートンを直接に取り出させるようなこともでき、その場合でもタバコカートンの取り出しにより配列が乱雑となって訴求効果が低下することを防止できる。それでいてスライダユニットを取り外したトレーユニットには従来と同様にタバコパックを陳列することもできるので、タバコパックとタバコカートンとを良好に陳列することができる。
【発明を実施するための最良の形態】
【００１６】
本発明の実施の一形態を図面を参照して以下に説明する。本実施の形態のタバコ陳列システム１０００は、図２に示すように、直方体状にパッケージされているタバコパックＴや、複数のタバコパックＴが直方体状にパッケージされたタバコカートンＫを、陳列する。
【００１７】
このため、タバコ陳列システム１０００は、上面開口のボックス状に形成されていて左右方向に細長く配置されたタバコカートンＫが載置される形状に形成されている複数のトレーユニット２００と、複数のトレーユニット２００を上下左右に配列するシステム本体と、トレーユニット２００の底面に着脱自在に装着される複数のスライダユニット４３０と、を有する。
【００１８】
そして、図１および図２２ないし図２４に示すように、スライダユニット４３０が、前後方向に細長いガイドレール４３１と、ガイドレール４３１をトレーユニット２００の底面に着脱自在に装着する着脱機構である粘着シート４３５と、ガイドレール４３１にスライド自在に支持されているスライダ部材１１０と、スライダ部材１１０を弾発的に前方に付勢している板バネ１１１と、を有する。
【００１９】
より詳細には、本実施の形態のタバコ陳列システム１０００は、システム本体として、図２(ａ)に示すように、前面開口のボックス状に形成されていて上下方向に離間した配置で複数のトレーユニット２００を着脱自在に保持する形状の複数のフレームユニット３００を有する。
【００２０】
または、システム本体として、図２(ｂ)に示すように、前後方向に扁平な平板状に形成されていて前面に所定形状の凹凸が形成されている複数のウォールユニット５００、ウォールユニット５００の凹凸に着脱自在に係合する係合機構が後部に形成されていてトレーユニット２００を保持する複数のトレーアタッチメント６００、ウォールユニット５００の凹凸に着脱自在に係合する係合機構６３０とフレームユニット３００を懸架する支持部７０１とを有するフレームアタッチメント７００、を有する。
【００２１】
タバコ陳列システム１０００は、図２に示すように、直方体状に形成されているタバコパックＴ、複数のタバコパックＴが直方体状にパックされたタバコカートンＫ、タバコパックＴがオマケとともにパックされたキャンペーンパックＰ、等を陳列する。なお、このキャンペーンパックＰは、例えば、厚紙で形成された簡易什器Ｆとともに店舗に提供される。
【００２２】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。
【００２３】
なお、一般的にタバコパックＴは前面(および後面)を代表面として銘柄などが表記されている。このため、その前面が前方に位置する適正な方向の状態で陳列されることが好ましい。そして、マガジンユニット１００は、上述のように方向が適正な状態の複数のタバコパックＴを前後方向に配列した状態で収容する。
【００２４】
ただし、本実施の形態のタバコ陳列システム１０００では、図３に示すように、前後長が大きく１３個のタバコパックＴを保持するマガジンユニット１００ａと、前後長が小さく７個のタバコパックＴを保持するマガジンユニット１００ｂと、がある。
【００２５】
なお、マガジンユニット１００は、無色透明な樹脂で形成されている。また、マガジンユニット１００の前端および後端には、上面が開口したポケット１０１，１０２が形成されている。
【００２６】
前方のポケット１０１には、例えば、顧客に提示するタバコパックＴの値札や宣伝カードなどが収容される。後方のポケット１０２には、例えば、店員が確認するタバコパックＴの情報カードなどが収容される。
【００２７】
マガジンユニット１００は、底部にスライダ部材１１０が前後方向にスライド自在に装着されている。より具体的には、マガジン本体１２０は、図１および図３ないし図５に示すように、底部の左右方向での中央に前後方向に細長い開口孔１０４が形成されている。スライダ部材１１０は、マガジン本体１２０の開口孔１０４の左右縁部にスライド自在に係合する凹溝が下部左右に形成されている。
【００２８】
このため、スライダ部材１１０の下面はマガジン本体１２０の下面より下方に位置している。しかし、スライダ部材１１０の下面より下方に位置する凸部１２１が、マガジン本体１２０の下面の左右両側に形成されている。なお、マガジン本体１２０の開口孔１０４の後端には、スライダ部材１１０の下部が自在に挿入される拡開部が形成されている。
【００２９】
スライダ部材１１０は、巻回された板バネ１１１が付勢機構として後部に装着されている。この板バネ１１１の一端はスライダ部材１１０の底面から引き出されてマガジンユニット１００の前部に装着されている。
【００３０】
このため、スライダ部材１１０は板バネ１１１により弾発的に前方に付勢されている。なお、図４に示すように、スライダ部材１１０から引き出された板バネ１１１は、マガジンユニット１００の開口孔１０４の内部に位置するため、マガジンユニット１００に収容されるタバコパックＴの底面に接触しない。
【００３１】
マガジンユニット１００の底面後部には、段差１０５が形成されている。この段差１０５に係合することにより、スライダ部材１１０は板バネ１１１の張力に抗して停止する。
【００３２】
また、マガジンユニット１００の底面前部には、左右方向と直交する断面形状が三角形の凸部１０７が形成されている。この凸部１０７は一個のタバコパックＴの前後長と同一の前後長に形成されている。
【００３３】
このため、マガジンユニット１００に収容されてスライダ部材１１０により前方に圧接された複数のタバコパックＴは、図５に示すように、最前部の一個のみ上方に突出した状態となる。
【００３４】
マガジンユニット１００は、上述のように底面前部に凸部１０７が形成されているが、これより後方のスライダ部材１１０がスライド移動する範囲では底面が凸部を有しない平面からなる。
【００３５】
また、マガジンユニット１００の板バネ１１１は、図１に示すように、前端がマガジン本体１２０の前端に固定されており、後端を中心に前方に巻回する部分がスライダ部材１１０に後方から当接する位置に配置されている。そして、図１および図４に示すように、板バネ１１１は、スライダ部材１１０の下部から前方に位置する部分が、マガジン本体１２０の開口孔１０４の内部に位置している。
【００３６】
また、マガジン本体１２０は、底面前部の中央に板バネ１１１の前端が装着される係合爪(図示せず)が形成されている。さらに、その左右両側に一個のタバコパックＴを上方に変位させる凸部１０７が形成されている。
【００３７】
トレーユニット２００は、図６ないし図９に示すように、上面が開口したボックス状に無色透明な樹脂で形成されている。トレーユニット２００には、複数のマガジンユニット１００が左右方向に配列された状態でトレーユニット２００に収容される。ただし、マガジンユニット１００ａ，１００ｂは、前述のように前後長が相違する二種類がある。
【００３８】
そこで、本実施の形態のタバコ陳列システム１０００では、前後長が大きいマガジンユニット１００ａを五個収容するトレーユニット２００ａ、前後長が大きいマガジンユニット１００ａを三個収容するトレーユニット２００ｂ、前後長が小さいマガジンユニット１００ｂを五個収容するトレーユニット２００ｃ、前後長が小さいマガジンユニット１００ｂを三個収容するトレーユニット２００ｄ、がある。
【００３９】
そして、上述のようにマガジンユニット１００を左右方向に五列に保持するトレーユニット２００ａ，ｂは、図１および図２に示すように、左右方向に細長く配置されたタバコカートンＫを収容する左右幅に形成されている。
【００４０】
さらに、十三個のタバコパックＴを収容するマガジンユニット１００ａを左右方向に五列に保持するトレーユニット２００ａは、図２に示すように、前後方向に細長く配置されたタバコカートンＫを収容する前後長に形成されている。その場合、トレーユニット２００ａは、上下方向に扁平に配置されたタバコカートンＫを左右方向に三列に保持することができる。
【００４１】
トレーユニット２００は、底面両側にトレー凸部２０１が形成されている。ただし、トレーユニット２００は、上述のように二種類の横幅と二種類の前後長との組み合わせの四種類があるが、トレー凸部２０１と前面との距離は共通である。また、トレーユニット２００の前部にも、複数のタバコパックＴの宣伝カードなどが収容されるポケット２０２が形成されている。
【００４２】
なお、本実施の形態のタバコ陳列システム１０００では、図２３および図２４に示すように、トレーユニット２００の底面にスライダユニット４３０が着脱自在に装着される。このため、スライダユニット４３０は、ガイドレール４３１の下面に粘着シート４３５が装着されている。
【００４３】
このスライダユニット４３０は、スライダ部材１１０等の部品がマガジンユニット１００と共通しており、全体に類似した構造に形成されている。つまり、ガイドレール４３１は、上面中央に前後方向に細長い開口孔４３６が形成されている。
【００４４】
スライダ部材１１０は、マガジン本体の開口孔４３６の左右縁部にスライド自在に係合する凹溝が下部左右に形成されている。ただし、ガイドレール４３１は前端から後端まで断面形状が均一なアルミニウム合金の押出材などで形成されている。
【００４５】
そして、このガイドレール４３１の前後に前部部材４３２と後部部材４３３とが装着されている。このため、スライド自在なスライダ部材１１０の脱落を防止することができる。
【００４６】
また、スライダユニット４３０から引き出された板バネ１１１の前端は前部部材４３２に固定されている。ガイドレール４３１と後部部材４３３との上面には段差が形成されている。このため、図１(ｂ)に示すように、後部部材４３３の開口孔４３６に位置したスライダ部材１１０の前面下端がガイドレール４３１の後面上端に係脱自在に係合する。
【００４７】
フレームユニット３００は、図１０ないし図１４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００４８】
支持フレーム３２０は、トレーユニット２００を支持する前後方向に細長いレール状に形成された金属の板材からなり、複数が上下方向に配列されて一対の本体フレーム３１０の内側面に接合されている。
【００４９】
ただし、トレーユニット２００は、前述のように二種類の左右幅がある。そこで、本実施の形態のタバコ陳列システム１０００では、図１０ないし図１３に示すように、左右幅が大きいトレーユニット２００ａ，２００ｃを三個保持するフレームユニット３００ａ、左右幅が大きいトレーユニット２００ａ，２００ｃを二個保持するフレームユニット３００ｂ、左右幅が小さいトレーユニット２００ｂ，２００ｄを三個保持するフレームユニット３００ｃ、左右幅が小さいトレーユニット２００ｂ，２００ｄを二個保持するフレームユニット３００ｄ、がある。
【００５０】
また、フレームユニット３００は、支持フレーム３２０にガイド凹部３２１が形成されている。このガイド凹部３２１にトレーユニット２００のトレー凸部２０１が係合する。なお、前述のようにトレーユニット２００は二種類の前後長があるが、その前面からトレー凸部２０１までの距離は共通である。
【００５１】
また、四種類のフレームユニット３００も、その各々の前面からガイド凹部３２１までの距離は共通である。このため、図２(ａ)および図１４に示すように、フレームユニット３００に保持されたトレーユニット２００の前面の位置は同一となる。
【００５２】
さらに、図１５(ａ)に示すように、フレームユニット３００は、交互に前後反転されて本体フレーム３１０が前後方向に隣接する配置で複数が左右方向に配列されると、各々のガイド凹部３２１の前後位置が同一となる。
【００５３】
つまり、複数のフレームユニット３００を左右方向に配列するとき、その奇数番目と偶数番目で交互に前後を反転させ、本体フレーム３１０が前後方向に隣接するように配置すると、各々のガイド凹部３２１の前後位置が同一となる。従って、このように配置されたフレームユニット３００にトレーユニット２００が装着されても、図１５(ｂ)に示すように、その前面の位置は同一となる。
【００５４】
なお、フレームユニット３００は、本体フレーム３１０の上面両側と下面両側とに、フレーム連結機構となる面ファスナ３１１が装着されている。また、本体フレーム３１０の下面中央には、フレーム凹部となるフレーム貫通孔３１３が形成されている。本体フレーム３１０の上面中央には、フレーム凸部となる凸部材３１４が装着されている。
【００５５】
そこで、本実施の形態のタバコ陳列システム１０００では、図２に示すように、横幅が同一の複数のフレームユニット３００を上下方向に設置すると、その複数のフレームユニット３００が面ファスナ３１１により連結される。このとき、フレーム貫通孔３１３と凸部材３１４とが係合する。
【００５６】
また、タバコ陳列システム１０００は、図１６に示すように、前述のように交互に前後反転されて左右方向に配列された複数のフレームユニット３００を保持する左右連結機構としてクリップ部材３３１とファスナ部材３３２とを有する。
【００５７】
クリップ部材３３１はバネ材により形成されており、前述のように前後方向に隣接された本体フレーム３１０を弾発的に保持する。ファスナ部材３３２は、樹脂板の下面に一対の面ファスナが装着された構造からなり、上述のように配置された複数のフレームユニット３００の上面の隣接する面ファスナ３１１に接合される。
【００５８】
また、ウォールユニット５００は、図１７に示すように、ベースウォール５００ａとパネルウォール５００ｂとがある。ベースウォール５００ａとパネルウォール５００ｂとは、前後方向に扁平な平板状のウォール部５１０を有する。
【００５９】
ベースウォール５００ａは、ウォール部５１０の下端に台座５２０が一体に形成されており、ウォール部５１０の上端にウォール連結機構が搭載されている。パネルウォール５００ｂは、上端と下端とにウォール連結機構が搭載されている。
【００６０】
より具体的には、ウォールユニット５００は、後面左右に補強を兼用した断面矩形の金属管５３１が装着されている。そして、パネルウォール５００ｂでは、その金属管５３１の下端に、一回り小径の金属管５３２が固定されている。
【００６１】
そして、パネルウォール５００ｂの下端の金属管５３２が、ベースウォール５００ａやパネルウォール５００ｂの上端の金属管５３１に上方から係脱自在に係合する。そこで、これらの金属管５３１，５３２からなるウォール連結機構により、パネルウォール５００ｂは、複数を上下方向に連結することができ、ベースウォール５００ａの上端に連結することもできる。
【００６２】
また、ベースウォール５００ａとパネルウォール５００ｂとのウォール部５１０は、前面に所定形状の凹凸が形成されている。より具体的には、凹凸として、左右方向に連通する凹溝５１１が上下方向に所定間隔で配列された形状に形成されている。その凹溝５１１は、例えば、図１１に示すように、後部が下方に曲折したＬ字型の断面形状に形成されている。
【００６３】
トレーアタッチメント６００ａ〜６００ｄは、図１８および図１９に示すように、トレーユニット２００ａ〜２００ｄを個々に保持する構造に形成されている。より詳細には、トレーアタッチメント６００は、前後方向に細長い一対の支持フレーム６１０を有する。
【００６４】
支持フレーム６１０は、トレーユニット２００を支持する前後方向に細長いレール状に形成された金属の板材からなる。その一対の支持フレーム６１０は、左右方向に細長い連結フレーム６２０により下面前後で連結されている。
【００６５】
ただし、トレーユニット２００は、前述のように二種類の左右幅と二種類の前後長との組み合わせの四種類がある。そこで、トレーアタッチメント６００ａ〜６００ｄも、トレーユニット２００に対応して二種類の左右幅と二種類の前後長との組み合わせの四種類がある。
【００６６】
また、トレーアタッチメント６００ａ〜６００ｄは、支持フレーム６１０にガイド凹部６１１が形成されている。このガイド凹部６１１にトレーユニット２００のトレー凸部２０１が係合する。
【００６７】
なお、四種類のトレーユニット２００と四種類のトレーアタッチメント６００とは、装着により後部の位置が一致するように、トレー凸部２０１とガイド凹部６１１とが形成されている。また、支持フレーム６１０の後端には、ウォールユニット５００の凹溝５１１に着脱自在に係合する係合機構６３０が後部に形成されている。
【００６８】
なお、上述のようにトレーユニット２００およびトレーアタッチメント６００は、二種類の左右幅に形成されている。このため、図２０に示すように、ウォールユニット５００は、幅広のトレーアタッチメント６００ａ，６００ｃに対応した左右幅に形成されている。
【００６９】
また、前述のようにトレーユニット２００は前後長が二種類なので、ベースウォール５００ａの台座５２０は、前後長が最大のトレーユニット２００ａ，２００ｂに対応した前後長に形成されている。従って、何れのトレーユニット２００を利用する場合にも、トレーユニット２００がベースウォール５００ａの台座５２０より前方に突出することがない。
【００７０】
また、図２(ｂ)および図２１に示すように、フレームユニット３００は、一対のフレームアタッチメント７００によりウォールユニット５００の前面に装着される。フレームアタッチメント７００は、前後方向に細長い断面Ｌ字型の支持部７０１と、この支持部７０１の後部に形成されている係合機構６３０と、からなる。
【００７１】
なお、本実施の形態のタバコ陳列システム１０００は、図２等に示すように、上述したトレーユニット２００以外にも、ウォールユニット５００に着脱自在に装着される各種のユニットを有する。
【００７２】
上述のような構成において、本実施の形態のタバコ陳列システム１０００では、図２(ａ)に示すように、四種類のフレームユニット３００を上下左右に組み合わせても、図２(ｂ)に示すように、二種類のウォールユニット５００を上下左右に組み合わせても、全体を形成することができ、その上下高と左右幅とを自在に調節することができる。
【００７３】
このため、本実施の形態のタバコ陳列システム１０００は、設置する空間に対応した外形とすることができる。従って、空間を有効に利用することができ、デッドスペースの発生を良好に抑制することができる。
【００７４】
そして、上述のようにタバコ陳列システム１００をフレームユニット３００で形成した場合でもウォールユニット５００で形成した場合でも、四種類のトレーユニット２００、二種類のマガジンユニット１００、を共用して自在に組み込むことができる。
【００７５】
このため、少品種のユニット１００〜６００等を大量生産するだけで、極めて多様なタバコ陳列システム１０００を店舗に提供することができる。このタバコ陳列システム１０００は、設置場所にもタバコパックＴの陳列形態にも柔軟性があるので、訴求効果が高い売場を演出するようなことができる。
【００７６】
従って、店舗が積極的にタバコパックの陳列形態を工夫して訴求効果が良好な売場を構築することができる。さらに、店舗がタバコパックＴを多様に陳列することができ、店舗にタバコパックＴを供給する企業も多様な陳列形態を提案することができる。
【００７７】
また、タバコ陳列システム１０００は、図１(ａ)および図２に示すように、左右方向に配列されたマガジンユニット１００をトレーユニット２００に保持させることにより、代表面を前面とした状態でタバコパックＴを陳列することができる。
【００７８】
さらに、図１(ｂ)および図２に示すように、幅広のトレーユニット２００からマガジンユニット１００を取り外すことにより、代表面を前面とした状態でタバコカートンＫを幅広のトレーユニット２００に横長に陳列することもできる。
【００７９】
つまり、本実施の形態のタバコ陳列システム１０００では、タバコパックＴもタバコカートンＫも良好に陳列することができる。このため、タバコパックＴだけでなくタバコカートンＫの販売も促進することができる。
【００８０】
しかも、上述のようにマガジンユニット１００を着脱するだけで、共通のトレーユニット２００によりタバコパックＴもタバコカートンＫも保持することができる。このため、トレーユニット２００の利用効率が良好であり、システム全体の生産性も良好である。
【００８１】
特に、縦長に代表面を前面として左右方向に五列に配置したタバコパックＴと、横長に配置したタバコカートンＫとは、左右幅が同等である。このため、マガジンユニット１００を左右五列に保持するトレーユニット２００ａ，２００ｃは、良好なスペース効率でタバコパックＴとタバコカートンＫとを収容することができる。
【００８２】
さらに、本実施の形態のタバコ陳列システム１０００では、トレーユニット２００の底面にスライダユニット４３０を装着することができる。その場合、複数のタバコカートンＫを前後方向に配列させてスライダユニット４３０より前方にガイドレール４３１に載置すると、板バネ１１１に付勢されているスライダ部材１１０によりタバコカートンＫを前方に押圧することができる。
【００８３】
このため、トレーユニット２００から最前部のタバコカートンＫが取り出されて販売されると、次段のタバコカートンＫが最前部に自動的に配置される。従って、タバコカートンＫを自動的に常時良好に陳列することができる。
【００８４】
このため、タバコ陳列システム１０００を顧客と対面する位置に設置し、顧客に直接にタバコカートンＫを取り出させることもできる。この場合、顧客の満足度を向上させることができ、店員の作業負担を軽減することができる。
【００８５】
それでいて、上述のようにタバコカートンＫが取り出されても、その配列はスライダユニット４３０により自動的に最適な状態となる。このため、顧客がタバコカートンＫを取り出しても、タバコカートンＫの配列が乱雑となって訴求効果が低下することがない。
【００８６】
しかも、スライダユニット４３０はトレーユニット２００に着脱自在なので、スライダユニット４３０を取り外せば上述のようにマガジンユニット１００をトレーユニット２００に保持させることができる。
【００８７】
特に、スライダユニット４３０は、ガイドレール４３１の下面に粘着シート４３５が装着されているので、工具などを必要とすることなくトレーユニット２００の底面に簡単に装着することができる。
【００８８】
また、スライダユニット４３０では、ガイドレール４３１の前後に前部部材４３２と後部部材４３３とが装着されている。このため、硬質なアルミニウム合金からなるガイドレール４３１を加工することなく、スライド自在なスライダ部材１１０の脱落を防止することができる。
【００８９】
しかも、スライダユニット４３０から引き出された板バネ１１１の前端は前部部材４３２に固定されている。このため、硬質なアルミニウム合金からなるガイドレール４３１を加工することなく、板バネ１１１の前端が適切な位置に保持されている。
【００９０】
さらに、この前部部材４３２とスライダユニット４３０とに張架された板バネ１１１は、ガイドレール４３１の開口孔４３６の内部に位置する。このため、板バネ１１１によりタバコカートンＫの底面が擦過されるようなこともない。
【００９１】
さらに、図１(ｂ)に示すように、後部部材４３３の開口孔４３６に位置させたスライダ部材１１０の前面下端をガイドレール４３１の後面上端に係合させて停止させることができる。従って、スライダ部材４３０を装着したトレーユニット２００にタバコカートンＫを簡単に補充することができる。
【００９２】
しかも、上述のスライダ部材１１０が係合する段差は、ガイドレール４３１と後部部材４３３との境界として形成されている。このため、硬質なアルミニウム合金からなるガイドレール４３１を加工することなく、スライダ部材１１０を後部に停止させる構造が実現されている。
【００９３】
しかも、このスライダユニット４３０は、そのスライダ部材１１０や板バネ１１１をマガジンユニット１１０と共通とすることができる。このため、システム全体の生産性を向上させることができる。
【００９４】
なお、図２(ａ)(ｂ)に示すように、上述のようにマガジンユニット１００を取り外したトレーユニット２００には、キャンペーンパックＰの簡易什器Ｆなどを保持させることもできる。
【００９５】
また、図２(ａ)に示すように、上述の簡易什器Ｆはフレームユニット３００の上面に載置することもでき、トレーユニット２００をセットしていないフレームユニット３００の内部に配置することもできる(図示せず)。
【００９６】
また、本実施の形態のタバコ陳列システム１０００では、前述のように全体形状をフレームユニット３００かウォールユニット５００かで形成することができ、トレーユニット２００やマガジンユニット１００を共用することができる。
【００９７】
タバコ陳列システム１０００を利用する店舗は、ウォールユニット５００とフレームユニット３００との利用を一方から他方に切り換えるような場合でも、トレーユニット２００やマガジンユニット１００の利用を継続することができる。
【００９８】
また、複数の売場の一部ではフレームユニット３００で構築したタバコ陳列システム１０００を利用し、他部ではウォールユニット５００で構築したタバコ陳列システム１０００を利用するような場合でも、トレーユニット２００やマガジンユニット１００を共用することができる。しかも、ウォールユニット５００でタバコ陳列システム１０００を形成した場合、その部品としてフレームユニット３００を利用することができる。
【００９９】
なお、フレーム構造の場合、タバコパックＴを五列に保持する幅広のフレームユニット３００ａ，３００ｂと三列に保持する幅狭のフレームユニット３００ｃ，３００ｄとがあるので、設置スペースの左右幅に良好に対応することができる。
【０１００】
さらに、タバコパックＴを三行に保持する背高のフレームユニット３００ａ，３００ｃと二行に保持する背低のフレームユニット３００ｂ，３００ｄとがあるので、設置スペースの上下高にも良好に対応することができる。
【０１０１】
なお、フレームユニット３００ａ〜３００ｄは、横幅が同一の組み合わせで上下方向に連結される。ただし、左右方向に配列するフレームユニット３００ａ〜３００ｄの組み合わせに制限はない。
【０１０２】
トレーユニット２００ａ〜２００ｄは、左右幅が対応したフレームユニット３００ａ〜３００ｄに保持される。ただし、フレームユニット３００に保持させるトレーユニット２００の前後長に制限はない。
【０１０３】
また、フレームユニット３００には二個または三個のトレーユニット２００が保持される。フレームユニット３００に保持させるトレーユニット２００の最少個数に制限はない。
【０１０４】
また、トレーユニット２００ａ〜２００ｄは、左右幅が対応したトレーアタッチメント６００ａ〜６００ｄに保持される。ただし、ウォールユニット５００では、その前面のトレーアタッチメント６００で装着されるトレーユニット２００の位置および個数に制限はない。
【０１０５】
また、フレームユニット３００は、面ファスナ３１１により上下方向に接合される。このため、工具などを必要とすることなく簡単に複数のフレームユニット３００を上下方向に連結することができる。
【０１０６】
さらに、前述のように交互に前後反転されて左右方向に配列された複数のフレームユニット３００は、図１６に示すように、クリップ部材３３１とファスナ部材３３２とで左右方向にも連結することができる。
【０１０７】
このため、工具などを必要とすることなく簡単に複数のフレームユニット３００を左右方向にも連結することができる。しかも、前述のようにフレームユニット３００を上下方向に連結するための面ファスナ３１１を左右方向への連結にも利用するので、部品の利用効率が良好である。
【０１０８】
そして、上述のように工具を使用することなく上下左右に組み立てたフレームユニット３００に、トレーユニット２００でマガジンユニット１００を組み付けることができる。
【０１０９】
また、ウォールユニット５００は、金属管５３１，５３２の係合により上下方向に接合される。このため、工具などを必要とすることなく簡単かつ強固に複数のウォールユニット５００を上下方向に連結することができる。
【０１１０】
そして、このように上下方向に連結したウォールユニット５００を左右方向に配列させて設置することができる。そして、上述のように工具を使用することなく上下左右に組み立てたウォールユニット５００に、トレーアタッチメント６００とトレーユニット２００とでマガジンユニット１００を組み付けることができる。
【０１１１】
本実施の形態のタバコ陳列システム１０００は、上述のようにフレームユニット３００で形成した場合でもウォールユニット５００で形成した場合でも、工具を使用することなく簡単に組み立てることができる。
【０１１２】
従って、搬入や設置を迅速に省スペースで実行することができる。例えば、２４時間営業のコンビニエンスストアなどでは、タバコ陳列システム１０００の搬入や設置を、顧客に店舗を開放している状態で実行する必要がある。
【０１１３】
しかし、タバコ陳列システム１０００は、上述のように搬入や設置を迅速に省スペースで実行することができるので、コンビニエンスストアなどの販売業務を阻害することがない。
【０１１４】
さらに、フレームユニット３００では、上述の面ファスナ３１１として自動車部品の接合などに利用されている製品を使用することができる。その場合、面ファスナ３１１により複数のフレームユニット３００を強固に連結することができる。
【０１１５】
また、上述のように複数のフレームユニット３００を上下方向に連結させるとき、下側のフレームユニット３００の一対の凸部材３１４が上側のフレームユニット３００の一対のフレーム貫通孔３１３に係合する。このため、上下方向に連結される複数のフレームユニット３００の前後左右の相対位置を簡単かつ確実に適正とすることができる。
【０１１６】
また、ウォールユニット５００では、その上下方向の連結に使用される金属管５３１，５３２が構造の補強を兼用している。このため、ウォールユニット５００は、部品点数が必要最小限とされており、軽量で生産性も良好である。
【０１１７】
このため、全体に大型で強固なタバコ陳列システム１０００を、小型で軽量なフレームユニット３００やウォールユニット５００により、簡単に構築することができる。特に、収容するタバコパックＴは軽量なので、タバコ陳列システム１０００は相対的に高強度となる。
【０１１８】
さらに、前述のようにフレームユニット３００にトレーユニット２００を保持させると、そのガイド凹部３２１にトレー凸部２０１が係合する。このため、トレーユニット２００がフレームユニット３００に簡単かつ確実に適正な位置で保持される。
【０１１９】
しかも、トレーユニット２００は前後長が相違する複数種類があるが、その前面からトレー凸部２０１までの距離は共通である。また、複数種類のフレームユニット３００も、その前面からガイド凹部３２１までの距離は共通である。このため、複数種類のフレームユニット３００に複数種類のトレーユニット２００を保持させても、そのトレーユニット２００の前面の位置は同一となる。
【０１２０】
しかも、前述のように左右方向に複数のフレームユニット３００が配列されるとき、その前後を交互に反転させても支持フレーム３２０のガイド凹部３２１の前後位置は同一となる。
【０１２１】
このため、上述のように左右方向に配列された複数のフレームユニット３００にトレーユニット２００を保持させても、そのトレーユニット２００の前面の位置は同一となる。
【０１２２】
従って、本実施の形態のタバコ陳列システム１０００では、フレームユニット３００で全体を構築した場合、複数のユニット１００〜３００で保持されて陳列されるタバコパックＴの前面の位置を同一とすることができ、美麗にタバコパックＴを陳列することができる。
【０１２３】
特に、マガジンユニット１００は、収容された複数のタバコパックＴをスライダ部材１１０により前方に押圧する。このため、複数のマガジンユニット１００に収容しているタバコパックＴを、共通の位置に自動的に陳列することができる。
【０１２４】
さらに、マガジンユニット１００とトレーユニット２００とが無色透明な樹脂で形成されている。このため、トレーユニット２００に収容されたタバコカートンＫや、トレーユニット２００にマガジンユニット１００で収容されたタバコパックＴを、良好に視認できる状態に陳列することができる。
【０１２５】
しかも、マガジンユニット１００は、収容している複数のタバコパックＴをマガジン凸部１０７により最前部の一個のみ上方に突出させる。このため、収容されている複数のタバコパックＴから一個を容易に取り出すことができる。
【０１２６】
また、マガジンユニット１００は、図４に示すように、後方にスライド移動させたスライダ部材１１０をストッパ段部１０５に係合させることにより、板バネ１１１の張力に抗して停止させることができる。このため、マガジンユニット１００に複数のタバコパックＴを容易に補充することができる。
【０１２７】
さらに、前述のように前後が交互に反転された状態で複数のフレームユニット３００が左右方向に配列されると、左右方向に配列されている複数のフレームユニット３００の隙間を最少とすることができる。このため、タバコパックＴを陳列する密度を向上させることができる。
【０１２８】
また、フレームユニット３００は、トレーユニット２００を各々支持する複数の支持フレーム３２０が一対の本体フレーム３１０で上下方向に配列されて支持されており、その一対の本体フレーム３１０は複数の支持フレーム３２０で前後方向に配列されて支持されている。
【０１２９】
つまり、フレームユニット３００が、機能部品と構造体とを兼用した必要最小限のフレーム３１０，３２０で形成されている。このため、フレームユニット３００は生産性が良好で軽量である。
【０１３０】
特に、支持フレーム３２０はコ字状の断面形状に曲折されているので、高剛性である。本体フレーム３１０は枠状に閉じた形状に形成されているので、高剛性である。そして、これらのフレーム３１０，３２０が立体的に接合されている。このため、金属の棒材などで形成されていた従来の什器などに比較して、フレームユニット３００は極めて高剛性である。
【０１３１】
また、本実施の形態のタバコ陳列システム１０００は、上述のようにフレームユニット３００やウォールユニット５００やトレーユニット２００やマガジンユニット１００を自由に組み合わせて組み立てることができるので、その一部を分解して清掃するようなことも容易である。
【０１３２】
特に、本実施の形態のマガジンユニット１００は、少なくともスライダ部材１１０がスライド移動する範囲では底面が凸部を有しない平面からなる。このため、タバコパックＴが直接に載置されて汚損しやすいマガジンユニット１００の底面を、簡単に洗浄や清掃等することができる。
【０１３３】
なお、現在ではタバコパックＴやタバコカートンＫはダンボール箱に梱包されて店舗に提供され、店舗でタバコ陳列システム１０００のマガジンユニット１００やトレーユニット２００に補充されている。
【０１３４】
しかし、タバコパックＴが充填されたマガジンユニット１００やタバコカートンＫが充填されたトレーユニット２００を店舗に提供し、店舗から空のマガジンユニット１００やトレーユニット２００を回収することもできる。この場合、店舗ではタバコパックＴやタバコカートンＫをマガジンユニット１００やトレーユニット２００に補充する作業が無用となるので、販売効率を向上させることができる。
【０１３５】
なお、本発明は本実施の形態に限定されるものではなく、その要旨を逸脱しない範囲で各種の変形を許容する。例えば、上記形態ではタバコ陳列システム１０００の全体形状がフレームユニット３００かウォールユニット５００で形成されることを例示した。
【０１３６】
しかし、図２５および図２６に示すように、タバコ陳列システム１０００が、ストッカユニット４００やテーブルユニット４１０を、さらに有してもよい。ストッカユニット４００は、少なくとも上面が平坦で前面が開閉自在なボックス状に形成されている。
【０１３７】
テーブルユニット４１０は、上面が平坦で上下方向に扁平なボックス状に形成されている。テーブルユニット４１０は、ユニットボックス４１１にテーブル部材４１２が前後方向にスライド自在に収容されている。このため、テーブル部材４１２を前方に突出させて作業に利用することができる。
【０１３８】
そして、図２５に示すように、前述のようにフレームユニット３００は左右幅が二種類なので、上述のストッカユニット４００とテーブルユニット４１０とは、フレームユニット３００に対応した二種類の左右幅に形成されている。
【０１３９】
このため、使用するフレームユニット３００に対応してストッカユニット４００やテーブルユニット４１０も組み合わせることができる。従って、タバコ陳列システム１０００の全体を統一感のある外観とすることができ、デッドスペースの発生を有効に防止することができる。
【０１４０】
一方、前述のようにウォールユニット５００は、台座５２０の左右幅と前後長とが最大のトレーユニット２００に対応している。このため、図２６に示すように、幅広のストッカユニット４００やテーブルユニット４１０と組み合わせることにより、やはりタバコ陳列システム１０００の全体を統一感のある外観とすることができる。
【０１４１】
さらに、前述のようにトレーユニット２００は前後長が二種類なので、上述のストッカユニット４００とテーブルユニット４１０とは、前後長が最大のトレーユニット２００ａ，２００ｂに対応した前後長に形成されている。従って、何れのトレーユニット２００を利用する場合にも、トレーユニット２００がストッカユニット４００より外側に突出するようなことがない。
【０１４２】
上述のようなストッカユニット４００を利用することにより、カウンタなどがない場所にも、タバコ陳列システム１０００を適正な状態に設置することができる。さらに、上述のようなテーブルユニット４１０を利用することにより、タバコパックＴの補充などの作業性を向上させることができ、それでいて使用しないときに邪魔となることもない。
【０１４３】
なお、上述のようなストッカユニット４００やテーブルユニット４１０は、例えば、フレームユニット３００やウォールユニット５００と同様に、上面と下面とに形成されている凹凸や面ファスナなどにより、上下方向に連結される構造とすることができる(図示せず)。
【０１４４】
その場合、例えば、凹凸や面ファスナの位置や構造もフレームユニット３００と共通としておくことにより、ストッカユニット４００やテーブルユニット４１０にフレームユニット３００を適正に簡単かつ強固に設置することができる。この場合、ウォールユニット５００の台座５２０の下面に面ファスナを装着しておくことがよい(図示せず)。
【０１４５】
さらに、上記形態ではマガジンユニット１００やトレーユニット２００が無色透明な樹脂で形成されていることを例示した。しかし、蛍光色の樹脂でマガジンユニット１００などを形成しておいてもよい。
【０１４６】
その場合、例えば、通常のタバコパックＴは無色透明なマガジンユニット１００に収容して陳列し、新発売などのタバコパックＴを蛍光色のマガジンユニット１００に収容して陳列するようなことができる。この場合、特定のタバコパックＴを良好にアピールすることができる。
【０１４７】
なお、現在ではタバコ陳列システム１０００に陳列されているタバコパックＴなどが販売されるとき、その販売情報が電子キャッシュレジスタ(図示せず)により収集されている。また、タバコパックＴなどがタバコ陳列システム１０００に補充されるとき、その補充情報や在庫情報もハンディターミナル(図示せず)などにより収集されている。
【０１４８】
しかし、このような販売情報や補充情報や在庫情報を収集する機能をタバコ陳列システム１０００に搭載することもできる。例えば、現在ではタバコパックＴなどの各種の商品にＲＦＩＤ(Radio Frequency Identification)チップ(図示せず)を搭載することが検討されている。
【０１４９】
そこで、タバコ陳列システム１０００にＲＦＩＤリーダ(図示せず)を搭載することにより、タバコ陳列システム１０００でタバコパックＴの販売情報や補充情報や在庫情報を収集することが可能となる。
【０１５０】
なお、上述のようなＲＦＩＤリーダは、例えば、マガジンユニット１００、トレーユニット２００、フレームユニット３００、ウォールユニット５００、などに搭載してもよく、マガジンユニット１００、トレーユニット２００、フレームユニット３００、ウォールユニット５００、などに着脱自在なユニットとしてもよい。
【０１５１】
なお、タバコ陳列システム１０００を店舗に提供する場合、当然ながら店舗により必要なユニット１００〜５００の組み合わせは相違する。その場合、店舗で必要なユニット１００〜５００を検討することになるが、その検討を支援するための陳列シミュレータ８００を店舗に提供することもできる。
【０１５２】
例えば、フレーム構造用の陳列シミュレータ８００ａは、図２７に示すように、フレームユニット３００の前面形状を所定の縮尺で模した平板状のユニット模型８１０、これと同一の縮尺で店舗のカウンタ(図示せず)の前面形状を模したカウンタ模型８２０、同一の縮尺でストッカユニット４００の前面形状を模したストッカ模型８３０、同一の縮尺でテーブルユニット４１０の前面形状を模したテーブル模型８４０、同一の縮尺で人間の前面形状を模した平板状の人間模型８５０、複数の模型８１０〜８４０がレイアウトされて着脱自在に装着されるとともに人間模型が着脱自在に装着されるレイアウト台紙８６０、からなる。
【０１５３】
レイアウト台紙８６０は磁性シートで形成されており、模型８１０〜８５０はマグネットシートで形成されている。このような陳列シミュレータ８００ａが提供された店舗では、図２８に示すように、レイアウト台紙８６０に各種の模型８１０〜８３０をレイアウトすることにより、タバコ陳列システム１０００の各種ユニット１００〜５００等の組み合わせを検討することができる。
【０１５４】
しかも、この陳列シミュレータ８００ａでは、統一の縮尺で人間模型８５０もあるので、タバコ陳列システム１０００と人間との相対関係も確認することができる。特に、人間模型８５０は、腕部が回動自在に形成されている。このため、人間が作業できる範囲にタバコ陳列システム１０００を構築できるかなども確認することができる。
【０１５５】
さらに、店舗でレイアウト台紙８６０に各種模型８１０〜８３０がレイアウトされた陳列シミュレータ８００をタバコ陳列システム１０００のメーカが回収し、そのレイアウトに対応して各種ユニット１００〜５００等をメーカが店舗に提供するようなこともできる。
【０１５６】
なお、当然ながら、図２９に示すように、ウォールユニット５００の前面形状を所定の縮尺で模した平板状のユニット模型８７０を有する陳列シミュレータ８００ｂも同様に形成することができる。
【０１５７】
さらに、上述のようなフレームユニット３００とウォールユニット５００とのユニット模型８１０，８７０が両方とも用意されている陳列シミュレータ(図示せず)を店舗に提供することもできる。
【図面の簡単な説明】
【０１５８】
【図１】本発明の実施の形態のタバコ陳列システムのスライダユニットの構造を示す斜視図である。
【図２】本発明の実施の形態のタバコ陳列システムの外観を示す斜視図である。
【図３】二種類のマガジンユニットの外観を示す斜視図である。
【図４】マガジンユニットにタバコパックが収容される状態を示す分解斜視図である。
【図５】マガジンユニットにタバコパックが収容された状態を示す斜視図である。
【図６】タバコパックが収容されたマガジンユニットが四種類のトレーユニットの一つにセットされる状態を示す分解斜視図である。
【図７】タバコパックが収容されたマガジンユニットが四種類のトレーユニットの一つにセットされる状態を示す分解斜視図である。
【図８】四種類のトレーユニットの一つを示す斜視図である。
【図９】タバコパックが収容されたマガジンユニットが四種類のトレーユニットの一つにセットされる状態を示す分解斜視図である。
【図１０】四種類のフレームユニットの一つを示す斜視図である。
【図１１】四種類のフレームユニットの一つを示す斜視図である。
【図１２】四種類のフレームユニットの一つを示す斜視図である。
【図１３】四種類のフレームユニットの一つを示す斜視図である。
【図１４】タバコパックがマガジンユニットで収容されたトレーユニットが四種類のフレームユニットの一つにセットされる状態を示す分解斜視図である。
【図１５】左右方向に配列された複数のフレームユニットとトレーユニットとの関係を示す平面図である。
【図１６】左右方向に配列された複数のフレームユニットが左右連結機構であるクリップ部材とファスナ部材とで連結される状態を示す分解斜視図である。
【図１７】二種類のウォールユニットの外観を示す斜視図である。
【図１８】四種類のトレーアタッチメントの二つの外観を示す斜視図である。
【図１９】四種類のトレーアタッチメントの二つの外観を示す斜視図である。
【図２０】トレーユニットがトレーアタッチメントでウォールユニットに装着される状態を示す分解斜視図である。
【図２１】フレームアタッチメントでフレームユニットがウォールユニットに装着される状態を示す分解斜視図である。
【図２２】スライダユニットの底面の外観を示す斜視図である。
【図２３】トレーユニットにスライダユニットを装着してタバコカートンを収容する状態を示す斜視図である。
【図２４】トレーユニットにスライダユニットを装着してタバコカートンを収容する状態を示す縦断側面図である。
【図２５】一変形例のストッカユニットを有するタバコ陳列システムの外観を示す斜視図である。
【図２６】一変形例のストッカユニットを有するタバコ陳列システムの外観を示す斜視図である。
【図２７】さらに他の変形例の陳列シミュレータの外観を示す平面図である。
【図２８】陳列シミュレータが利用された状態を示す平面図である。
【図２９】さらに他の変形例の陳列シミュレータの外観を示す平面図である。
【符号の説明】
【０１５９】
１００    マガジンユニット
１０１，１０２    ポケット
１０４    開口孔
１０５    段差
１０７    凸部
１１０    スライダ部材
１１１    板バネ
１２０    マガジン本体
１２１    凸部
２００    トレーユニット
２０１    トレー凸部
２０２    ポケット
３００    フレームユニット
３１０    本体フレーム
３１１    面ファスナ
３１３    フレーム貫通孔
３１４    凸部材
３２０    トレー支持部
３２１    ガイド凹部
３３１    クリップ部材
３３２    ファスナ部材
４００    ストッカユニット
４１０    テーブルユニット
４１１    ユニットボックス
４１２    テーブル部材
４２０    演出パーツ
４２１    部分
４２２    部分
４２３    マグネット
４３０    スライダユニット
４３１    ガイドレール
４３２    前部部材
４３３    後部部材
４４０    樹脂パネル
４５０    メッシュユニット
４５１    枠部
４５２    メッシュ部
４５３    基部
５００    ウォールユニット
５００ａ    ベースウォール
５００ｂ    パネルウォール
５１０    ウォール部
５１１    凹溝
５２０    台座
５３０    フレーム連結機構
６００    トレーアタッチメント
６１０    トレー支持部
６２０    連結フレーム
６３０    係合機構
７００    フレームアタッチメント
７０１    支持部
８００    陳列シミュレータ
８１０    ユニット模型
８２０    カウンタ模型
８３０    ストッカ模型
８４０    テーブル模型
８５０    人間模型
８６０    レイアウト台紙
８７０    ユニット模型
１０００    タバコ陳列システム
Ｆ    簡易什器
Ｋ    タバコカートン
Ｐ    キャンペーンパック
Ｔ    タバコパック
【図１】
2008080061.tif 000003
【図２】
2008080061.tif 000004
【図３】
2008080061.tif 000005
【図４】
2008080061.tif 000006
【図５】
2008080061.tif 000007
【図６】
2008080061.tif 000008
【図７】
2008080061.tif 000009
【図８】
2008080061.tif 000010
【図９】
2008080061.tif 000011
【図１０】
2008080061.tif 000012
【図１１】
2008080061.tif 000013
【図１２】
2008080061.tif 000014
【図１３】
2008080061.tif 000015
【図１４】
2008080061.tif 000016
【図１５】
2008080061.tif 000017
【図１６】
2008080061.tif 000018
【図１７】
2008080061.tif 000019
【図１８】
2008080061.tif 000020
【図１９】
2008080061.tif 000021
【図２０】
2008080061.tif 000022
【図２１】
2008080061.tif 000023
【図２２】
2008080061.tif 000024
【図２３】
2008080061.tif 000025
【図２４】
2008080061.tif 000026
【図２５】
2008080061.tif 000027
【図２６】
2008080061.tif 000028
【図２７】
2008080061.tif 000029
【図２８】
2008080061.tif 000030
【図２９】
2008080061.tif 000031